(57)【要約】【課題】本願発明の課題は、従来技術が抱える問題を解決することであり、すなわち、ＧＮＳＳ測位のように積極的に測位することなく物理量分布図を作成することができる物理量分布図の作成方法、及び物理量分布図作成装置を手供することである。【解決手段】本願発明の物理量分布図の作成方法は、対象範囲の物理量分布図を作成する方法であり、移動計測工程と、物理量設定工程、正射画像作成工程、分布図作成工程を備えた方法である。物理量設定工程では、移動計測工程で得られた物理量に基づいて、それぞれの地面画像に対して代表物理量を付与する。また正射画像作成工程では、複数の地面画像に基づいて対象範囲の正射画像を作成する。そして分布図作成工程では、正射画像に代表物理量を表示することで物理量分布図を作成する。【選択図】図２
2018151775.tif 000002
【特許請求の範囲】
【請求項１】
対象範囲内で場所ごとに異なる物理量の分布図を作成する方法であって、
前記対象範囲を移動しながら、隣接画像が重複するように地面を撮影して複数の地面画像を取得するとともに、物理量を計測する移動計測工程と、
前記移動計測工程で得られた物理量に基づいて、それぞれの前記地面画像に対して代表物理量を付与する物理量設定工程と、
複数の前記地面画像に基づいて、前記対象範囲の正射画像を作成する正射画像作成工程と、
前記正射画像に前記代表物理量を表示することで、物理量分布図を作成する分布図作成工程と、
を備えたことを特徴とする物理量分布図の作成方法。
【請求項２】
前記移動計測工程では、物理量として放射線量率を計測し、
前記物理量設定工程では、前記地面画像に対して代表放射線量率を付与し、
前記分布図作成工程では、前記正射画像に前記代表放射線量率を表示する、
ことを特徴とする請求項１記載の物理量分布図の作成方法。
【請求項３】
前記移動計測工程では、前記対象範囲を移動する速度に基づいて、取得された前記地面画像を前記正射画像の作成に使用するか否か判断し、
前記物理量設定工程では、前記移動計測工程で前記正射画像の作成に使用すると判断された前記地面画像に対して代表物理量を付与し、
前記正射画像作成工程では、前記移動計測工程で前記正射画像の作成に使用すると判断された前記地面画像に基づいて、前記対象範囲の前記正射画像を作成する、
ことを特徴とする請求項１又は請求項２記載の物理量分布図の作成方法。
【請求項４】
前記移動計測工程では、前記対象範囲を移動した移動距離を取得するとともに、該移動距離に基づいて隣接画像の重複の程度を求め、該重複の程度に基づいて、取得された前記地面画像を前記正射画像の作成に使用するか否か判断し、
前記物理量設定工程では、前記移動計測工程で前記正射画像の作成に使用すると判断された前記地面画像に対して代表物理量を付与し、
前記正射画像作成工程では、前記移動計測工程で前記正射画像の作成に使用すると判断された前記地面画像に基づいて、前記対象範囲の前記正射画像を作成する、
ことを特徴とする請求項１乃至請求項３のいずれかに記載の物理量分布図の作成方法。
【請求項５】
前記移動計測工程では、地面から略一定の高さに固定した画像取得手段で地面を撮影し、
前記正射画像作成工程では、前記画像取得手段と地面との距離に基づいて前記地面画像の縮尺を求め、該縮尺が付与された前記正射画像を用いて前記正射画像を作成する、
ことを特徴とする請求項１乃至請求項４のいずれかに記載の物理量分布図の作成方法。
【請求項６】
前記移動計測工程では、支持柱に固定された画像取得手段によって地面を撮影するとともに、該支持柱に固定された計測手段によって物理量を計測する、
ことを特徴とする請求項１乃至請求項５のいずれかに記載の物理量分布図の作成方法。
【請求項７】
前記対象範囲内で２以上の地点の平面座標を取得する測位工程を、さらに備え、
前記正射画像作成工程では、前記測位工程で取得された平面座標に基づいて、所定の座標系が設定された前記正射画像を作成する、
ことを特徴とする請求項１乃至請求項６のいずれかに記載の物理量分布図の作成方法。
【請求項８】
対象範囲内で場所ごとに異なる物理量の分布図を作成する物理量分布図作成装置であって、
地面から略一定の高さに固定され、前記対象範囲を移動しながら地面を撮影した地面画像を取得しうる画像取得手段と、
前記対象範囲内の物理量を計測する計測手段と、
前記計測手段で計測された物理量に基づいて、前記画像取得手段で取得した前記地面画像に対して代表物理量を付与する物理量設定手段と、
隣接画像が重複する複数の前記地面画像に基づいて、前記対象範囲の正射画像を作成する正射画像作成手段と、
前記正射画像に前記代表物理量を表示することで、物理量分布図を作成する分布図作成手段と、
を備えたことを特徴とする物理量分布図作成装置。
【請求項９】
前記対象範囲を移動するときの移動速度を取得する速度計測手段と、
前記速度計測手段で取得した移動速度に基づいて、前記画像取得手段で取得された前記地面画像を、使用地面画像又は不使用地面画像のいずれかに選別する画像選別手段と、
前記画像選別手段で選別された前記使用地面画像を、記憶する画像記憶手段と、をさらに備え、
前記正射画像作成手段は、前記画像選別手段で選別された前記使用地面画像に基づいて、前記対象範囲の前記正射画像を作成する、
ことを特徴とする請求項８記載の物理量分布図作成装置。
【発明の詳細な説明】
【技術分野】
【０００１】
本願発明は、対象領域における例えば放射線量率といった物理量の分布図を作成する技術に関するものであり、より具体的には、特段の測位手段を必要とすることなく物理量分布図を作成することができる方法とその装置に関するものである。
【背景技術】
【０００２】
近年、地球温暖化が原因とされる環境破壊が進み、地球環境の保全は世界的な問題となっている。１９９７年には京都議定書が締結され、温室効果ガスの削減目標を定めるなど、多くの国が積極的にこの問題に取り組んでいる。我が国でも、これまで官民を挙げて温室効果ガスの削減対策が実施されており、そのひとつが原子力発電である。原子力による発電は、その発電力もさることながら、いわゆる化石エネルギーによる発電に比べ温室効果ガスの排出量が極めて少ないため、従前の発電方式からこの方式へ転換が図られてきた。
【０００３】
一方、我が国は地震が頻発する国として知られ、東北地方太平洋沖地震をはじめ、兵庫県南部地震、新潟県中越地震など大きな地震が発生し、そのたびに甚大な被害を被ってきた。先の東日本大震災では、津波によって計り知れない被害を受けたうえ、さらに福島原子力発電所の原子炉が破損したことによって放射性物質が大量に漏れ出すという事故も発生した。
【０００４】
原子力発電所から漏出した放射性物質は、その周辺にとどまらず広い範囲にわたって拡散した。これは、放射性物質がエアロゾル等に付着した結果、このエアロゾル等が輸送体となって放射性物質を遠方まで連行し、雨水等によって地上に降下したものと考えられている。いずれにしろ、原子力発電所の事故による影響は広い範囲に及んでおり、放射性物質汚染対処特別措置法では、事故由来放射性物質の環境汚染状況について重点的に調査測定をすべき「汚染状況重点調査地域」として、１００を超える市町村を指定している。
【０００５】
広い範囲に放射性物質が拡散したとしても、場所によって放射線量は異なり、極めて高い放射線量を示す地域もあれば、環境に影響を与えない程度の放射線量を示す地域もある。高い放射線量を示す地域では、当然ながら人体に対する影響を考えなければならない。１年間の放射線量（ｍＳｖ／年）を指標として各居住区に制限を設けており、５０ｍＳｖ以上が帰宅困難区域、２０ｍＳｖ以上が居住制限区域、１ｍＳｖ以上が避難指示解除準備区域とされ、いずれも複数の市町村が今なお該当している。このような制限区域に対して適切な除染対策を行い、すべての制限を早期に解除することが喫緊の課題である。
【０００６】
ところで、その地域全体としてはそれほど高い放射線量を示さないものの、局所的に極めて高い放射線量を示すケースがある。あるいは、居住制限区域であっても部分的に低い放射線量を示すケースも考えられる。周辺に比べ局所的に高い放射線量を示す地点（以下、「ホットスポット」という。）を抽出することは、生活安全上極めて重要であり、また、高い放射線量の中にあって部分的に低線量を示す地点を抽出することは、除染作業が軽減されるうえ、除染により発生した汚染土を保管する場所（仮置き場や中間貯蔵施設など）が不足している状況の下、発生する汚染土量を削減する結果となり極めて有益といえる。
【０００７】
このように、局所的な放射線量を把握する場合、航空機等による全体計測ではなく、狭い範囲に区切って部分的に計測する手法が用いられる。実際、福島県では２０万戸を超える住宅に対して１戸ずつ調査を行い、結果に応じて除染対策を進めている。なお、住宅の放射線量を計測する際は、「放射性物質による局所的汚染箇所への対処ガイドライン―環境省―」（以下、単に「汚染箇所対処ガイドライン」という。）に従い、局所的に汚染箇所が予測される箇所（以下、「汚染予測箇所」という。）を抽出した上で、当該箇所を中心に計測している。これは現実に汚染されている「局所的汚染箇所」をできる限り早急に発見するためで、建物の雨樋、排水口、側溝・排水路、雨水枡などが汚染予測箇所として例示されている。
【０００８】
しかしながら、汚染予測箇所の抽出は人の判断によって行われるものであり、抽出精度は調査者の知識や経験に依存するところとなる。大量の調査住宅を考えると大勢の調査者が計測に当たることになり、したがって汚染予測箇所の抽出基準が不均一となり、その結果、局所的汚染箇所が正しく発見されないおそれもある。また、計測結果は位置情報とともに記録しなければ適切な除染対策を実施することはできないが、放射線量を計測する一方で同時に位置計測を行い、その上、計測値と位置情報を関連付けて記録することはそれほど容易なことではない。実際は、用意した紙図面に概ねの計測位置を記しているのが現状であり、そのため誤記や記録漏れを生じることもあるが、これを事後的に確かめることはできない。
【０００９】
屋外を対象に放射線量を調査する場合、計測値と位置情報を関連付けて記録するには衛星測位システム（ＧＮＳＳ：Ｇｌｏｂａｌ  Ｎａｖｉｇａｔｉｏｎ  Ｓａｔｅｌｌｉｔｅ  Ｓｙｓｔｅｍ）を併用することが考えられる。調査地点の位置座標をＧＮＳＳで測位していくことで、計測値と位置情報をセットとして記録できるわけである。しかしながらＧＮＳＳによる単独測位では１０ｍ程度の誤差が生じることが知られており、さらに屋根や庭木といった障害がある場合は敷地外に大きく外れた点を座標として出力するケースもある。
【００１０】
そこで特許文献１では、ＧＮＳＳによる測位と自律航法による測位を併用した放射線分布計測技術を提案している。この技術によれば、ＧＮＳＳ測位と自律航法測位の結果を用いて補正することによってその測位精度を高めつつ、計測値と位置情報を関連付けて記録することができる。
【先行技術文献】
【特許文献】
【００１１】
【特許文献１】特開２０１５−１７５８０３号公報
【発明の概要】
【発明が解決しようとする課題】
【００１２】
特許文献１の技術によれば、２種類の測位を併用することからＧＮＳＳ測位のみの結果よりも高精度の位置座標を取得できるが、自律航法測位は誤差が累積していくことが知られており、またＧＮＳＳによる単独測位も既述のとおり大きな誤差を生ずることがあるため、多点数を測位するケースではいくつかの計測点で高精度の位置座標を取得できないことも考えられる。また、屋外と屋内の両方で調査する場合、屋内ではＧＮＳＳ測位が利用できないため屋外と屋内で使用する測位手段を交換しなければならないという手間も生ずる。
【００１３】
そこで本願発明の発明者らは、調査対象とする範囲（以下、「対象範囲」という。）内の物理量の分布を把握するに当たって、ＧＮＳＳ測位のように積極的に測位することなく、計測地点の物理量と位置情報を関連付けて当該物理量の分布図（以下、「物理量分布図」という。）を作成することができる技術の提供を本願発明の課題とした。なおここでいう「物理量」とは、放射線量率や地磁気、温度、種々のガス濃度など場所によって異なる値を示すあらゆる属性を意味する。
【００１４】
上記課題を解決するため本願発明の発明者らは、地面（屋外の地表面や、屋内の床面など）を写した複数の画像から対象範囲の正射画像を作成することとした。通常、画像のみから正射画像を作成するには、重複しあう多数の画像が必要とされ、そのため高速（例えば、３０ｆｐｓ）で撮影できる画像取得手段（カメラやビデオカメラ等）が使用される。その結果、大量の画像を取得することとなり、すなわち大量（いわば必要以上）の画像を用いて正射画像を作成することとなって、その作成（解析）に相当の時間とコストが掛かってしまう。そこで、画像のみから正射画像を作成する際にその作成時間とコストを低減することができる技術の提供も本願発明の課題とした。
【００１５】
ここまで説明したように本願発明の課題は、従来技術が抱える問題を解決することであり、すなわち、ＧＮＳＳ測位のように積極的に測位することなく物理量分布図を作成することができる物理量分布図の作成方法、及び物理量分布図作成装置を提供することである。また、正射画像の作成時間とコストを低減することができる技術の提供も本願発明の課題である。
【課題を解決するための手段】
【００１６】
本願発明は、移動しながら取得した地面画像から対象範囲の正射画像を作成し、地面画像に物理量を付与することで物理量分布図を作成する、という点に着目したものであり、従来にはなかった発想に基づいてなされた発明である。
【００１７】
本願発明の物理量分布図の作成方法は、対象範囲の物理量分布図を作成する方法であり、移動計測工程と、物理量設定工程、正射画像作成工程、分布図作成工程を備えた方法である。移動計測工程では、対象範囲を移動しながら、隣接画像が重複するように地面を撮影して複数の地面画像を取得するとともに、物理量を計測する。物理量設定工程では、移動計測工程で得られた物理量に基づいて、それぞれの地面画像に対して代表物理量を付与する。また正射画像作成工程では、複数の地面画像に基づいて対象範囲の正射画像を作成する。そして分布図作成工程では、正射画像に代表物理量を表示することで物理量分布図を作成する。
【００１８】
本願発明の物理量分布図の作成方法は、物理量として放射線量率を計測する方法とすることもできる。この場合、物理量設定工程では、地面画像に対して代表放射線量率を付与し、分布図作成工程では、正射画像に代表放射線量率を表示する。
【００１９】
本願発明の物理量分布図の作成方法は、取得した地面画像のうち一部を用いて物理量分布図を作成する方法とすることもできる。この場合、移動計測工程では、対象範囲を移動する速度に基づいて地面画像を正射画像の作成に使用するか否か判断し、物理量設定工程では、正射画像の作成に使用すると判断された地面画像（以下、「使用地面画像」という。）に対して代表物理量を付与し、正射画像作成工程では、使用地面画像に基づいて対象範囲の正射画像を作成する。また、移動速度に代えて隣接画像の重複の程度に基づいて、地面画像を正射画像の作成に使用するか否か判断することもできる。隣接画像の重複の程度は、対象範囲を移動した移動距離に基づいて求めることができる。
【００２０】
本願発明の物理量分布図の作成方法は、地面から略一定の高さに固定した画像取得手段で地面を撮影する方法とすることもできる。この場合、正射画像作成工程では、画像取得手段と地面との距離に基づいて地面画像の縮尺を求め、この縮尺が付与された正射画像を用いて正射画像を作成する。
【００２１】
本願発明の物理量分布図の作成方法は、支持柱に固定された画像取得手段によって地面を撮影するとともに、この支持柱に固定された計測手段によって物理量を計測する方法とすることもできる。
【００２２】
本願発明の物理量分布図の作成方法は、対象範囲内で２以上の地点の平面座標を取得する測位工程をさらに備えた方法とすることもできる。この場合、正射画像作成工程では、測位工程で取得された平面座標に基づいて所定の座標系が設定された正射画像を作成する。
【００２３】
本願発明の物理量分布図作成装置は、対象範囲の物理量分布図を作成する装置であり、画像取得手段と、計測手段、物理量設定手段、正射画像作成手段、分布図作成手段を備えたものである。画像取得手段は、地面から略一定の高さに固定され、対象範囲を移動しながら地面を撮影した地面画像を取得しうるものであり、計測手段は、対象範囲内の物理量を計測するものである。また物理量設定手段は、計測手段で計測された物理量に基づいて地面画像に対して代表物理量を付与するものであり、正射画像作成手段は、隣接画像が重複する複数の地面画像に基づいて対象範囲の正射画像を作成するものである。そして分布図作成手段は、正射画像に代表物理量を表示することで物理量分布図を作成するものである。
【００２４】
本願発明の物理量分布図作成装置は、速度計測手段と、画像選別手段、画像記憶手段をさらに備えたものとすることもできる。速度計測手段は、対象範囲を移動するときの移動速度を取得するものである。また画像選別手段は、速度計測手段で取得した移動速度に基づいて、地面画像を使用地面画像又は不使用地面画像のいずれかに選別するものである。そして画像記憶手段は、画像選別手段で選別された使用地面画像のみを記憶するものである。この場合の正射画像作成手段は、使用地面画像に基づいて対象範囲の正射画像を作成する。
【発明の効果】
【００２５】
本願発明の物理量分布図の作成方法、及び物理量分布図作成装置には、次のような効果がある。
（１）複数の地面画像からなる正射画像を利用することから、（任意座標系における）位置精度が高い物理量分布図を作成することができる。
（２）従来に比べて完成までの手間が低減され、すなわち短期間で完成することから、鮮度の高い物理量分布図を作成することができる。また短期間で物理量分布図を作成することができるため、早い時期に現場での概略対策（除染等）を立案することができる。
（３）ＧＮＳＳ測位を必須としないことから、屋内を計測した物理量分布図も作成することができる。
【図面の簡単な説明】
【００２６】
【図１】（ａ）は時間経過に伴って取得されていく地面画像を説明するモデル図、（ｂ）は時間経過に伴って取得されていく物理量を説明するモデル図、（ｃ）は時間経過に伴って取得されていく移動速度を説明するモデル図。
【図２】本願発明の物理量分布図の作成方法の主な工程の流れを示すフロー図。
【図３】支持柱（ポール）形式の柱物理量分布図作成装置を示すモデル図。
【図４】（ａ）は適度に重複した隣接画像を説明するモデル図、（ｂ）は過度に重複した隣接画像を説明するモデル図。
【図５】地面画像に物理量を設定する仕様を説明するモデル図。
【図６】定期的に地面画像を抽出する仕様を説明するモデル図。
【図７】移動速度に基づいて地面画像を使用地面画像又は不使用地面画像のいずれかに選別する仕様を説明するモデル図。
【図８】移動速度に基づいて地面画像を使用地面画像又は不使用地面画像のいずれかに選別する仕様を説明するフロー図。
【図９】（ａ）はｎ番目に取得した地面画像の画像範囲ＰＡ（ｎ）と許容重複範囲ＬＡ（ｎ）を示すモデル図であり、（ｂ）は許容重複範囲ＬＡ（ｎ）と他の地面画像の画像範囲を比較したモデル図。
【図１０】本願発明の物理量分布図作成装置の主な構成を示すブロック図。
【発明を実施するための形態】
【００２７】
本願発明の物理量分布図の作成方法、及び物理量分布図作成装置の実施形態の一例を、図に基づいて説明する。
【００２８】
１．定義
本願発明の実施形態の例を説明するにあたって、はじめにここで用いる主な用語の定義を示しておく。
【００２９】
（対象範囲）
既述のとおり調査対象とする範囲を、ここでは「対象範囲」ということとする。例えば対象範囲としては、住宅や学校の敷地や、あるいは施設内の所定範囲など、屋外及び屋内を含む様々な領域が挙げられる。
【００３０】
（地面画像）
本願発明は、計測した物理量の計測位置を表すための基礎となる平面図（いわゆる、基図）として、正射画像（オルソ画像）を利用することを１つの特徴としている。この正射画像は、平面位置を表す概ね水平面を撮影して得られるものであり、「概ね水平面」のことをここでは「地面」としている。したがって地面としては、屋外の地表面や水面、あるいは屋内の床面といった面を例示することができる。そして、地面を撮影して得られる画像ことをここでは「地面画像」ということとする。
【００３１】
また本願発明では、調査者（あるいは移動体）が移動しながら定期的（例えば、１／３０秒間隔）、断続的、あるいは連続的に、地面画像を取得する。つまり移動後、時間を追うごとに逐次地面画像が取得されていく。図１（ａ）は、時間経過に伴って取得されていく地面画像を説明するモデル図である。この図に示すように、ここではそれぞれの地面画像を区別するため、取得した順にＰ１、Ｐ２、Ｐ３、・・・Ｐｎを各地面画像の名称とし、それぞれ地面画像を取得した時期（タイミング）をＴｐ１、Ｔｐ２、Ｔｐ３、・・・Ｔｐｎということとする。
【００３２】
（物理量）
既述のとおり、放射線量率や地磁気、温度、種々のガス濃度など場所によって異なる（位置に紐づく）値を示すあらゆる属性を、ここでは「物理量」ということとする。本願発明は、地面画像と同様、調査者等が移動しながら定期的（例えば、１秒間隔）、断続的、あるいは連続的に、物理量を取得する。つまり移動後、時間を追うごとに逐次物理量が取得されていく。図１（ｂ）は、時間経過に伴って取得されていく物理量を説明するモデル図である。この図に示すように、ここではそれぞれの物理量を区別するため、取得した順にＲ１、Ｒ２、Ｒ３、・・・Ｒｎを各物理量の名称とし、それぞれ物理量を取得した時期（タイミング）をＴｒ１、Ｔｒ２、Ｔｒ３、・・・Ｔｒｎということとする。
【００３３】
（移動速度）
後述するように、正射画像を作成する上で地面画像を抽出する（換言すると、余分な地面画像を間引く）ために、調査者等が移動する速度を計測することもできる。ここでは、この移動する速度のことを「移動速度」ということとする。移動速度もやはり、調査者等が移動しながら定期的（例えば、１／５秒間隔）、断続的、あるいは連続的に、取得される。つまり移動後、時間を追うごとに逐次移動速度が取得されていく。図１（ｃ）は、時間経過に伴って取得されていく移動速度を説明するモデル図である。この図に示すように、ここではそれぞれの移動速度を区別するため、取得した順にＶ１、Ｖ２、Ｖ３、・・・Ｖｎを各移動速度の名称とし、それぞれ移動速度を取得した時期（タイミング）をＴｒ１、Ｔｒ２、Ｔｒ３、・・・Ｔｒｎということとする。
【００３４】
２．物理量分布図の作成方法
次に、本願発明の物理量分布図の作成方法について図２を参照しながら説明する。図２は、本願発明の物理量分布図の作成方法の主な工程の流れを示すフロー図である。なおここでは便宜上、調査者が歩行により移動しながら調査するケースで説明するが、本願発明は調査者のほか必要な機器を搭載した移動体（自動車や飛行体、ロボットなど）で移動しながら実施することもできる。
【００３５】
図２に示すように、まずは対象範囲の移動計測を行う（Ｓｔｅｐ１００）。移動計測は、調査者が歩行しながら地面画像を取得（Ｓｔｅｐ１１１）し、かつ物理量を計測（Ｓｔｅｐ１２１）していく工程である。また、移動しながら移動速度（つまり歩行速度）を計測（Ｓｔｅｐ１３１）することもできるし、移動しながら位置座標を測位（ＧＮＳＳ測位や屋内測位）することもできる。ＧＮＳＳ測位や屋内測位を使用して、対象範囲の２以上の地点の平面座標を取得することで、所定の座標系（例えば世界測地系など）が設定された対象範囲の正射画像を作成することができる。
【００３６】
移動計測に用いる機器は、当然ながら調査者とともに移動する必要があるため、調査者が携行しやすいように一体の装置とするとよい。例えば図３に示すように、支持柱１９０（ポール）に画像取得手段１１１と計測手段１２１を固定したものを携行用計測装置し、これを携行して調査することができる。この図に示す携行用計測装置を利用すると、画像取得手段１１１から地面までの距離（つまり画像取得手段１１１の高さ）が略一定に保たれ、この結果、取得される地面画像の縮尺を求めることが可能となり、すなわち地面画像によって作成される正射画像の縮尺も把握することができる。もちろん携行用計測装置は、支持柱（ポール）形式に限らず、背負子形式やヘルメット固定形式など種々の形態とすることができる。
【００３７】
計測手段１２１は、１つのみ携行することもできるし複数個を携行することもできる。複数の計測手段１２１を利用する場合は、図３に示すようにそれぞれ計測する高さ（つまり固定位置）を変えるとよい。また、２種類以上の計測手段１２１を支持柱１９０に取り付け、移動しながら２種類以上の物理量（例えば、放射線量率とガス濃度など）を同時に計測することもできる。
【００３８】
支持中１９０には、画像取得手段１１１と計測手段１２１のほか、加速度計やＤＭＩ（Ｄｉｓｔａｎｃｅ    Ｍｅａｓｕｒｉｎｇ    Ｉｎｄｉｃａｔｏｒ）といった速度計測手段１３１、ＧＮＳＳ受信機などの測位手段１４０も取りつけることもできる。図３に示す携行用計測装置では、さらに地面画像や計測した物量量をその場で表示するモニタと、各種機器の制御ユニットやバッテリー等を収容するバックパックも備えている。
【００３９】
調査者は、例えば図３に示すような携行用計測装置を持って対象範囲内を網羅するように歩行していき、対象範囲内の各地点で地面画像と物理量、あるいは移動速度を取得する。なお、地面画像と物理量、移動速度は、定期的、断続的、あるいは連続的に、かつ自動的に計測されるが、それぞれ計測するタイミングは異なるため、調査地点は必ずしも一致するわけではない。
【００４０】
移動計測工程で取得された地面画像と物理量、あるいは移動速度は、計測されるたびに（つまりリアルタイムに）取得した時間と関連付けて記憶されていく。地面画像であれば図１（ａ）に示すＰｎとＴｐｎが関連付けられて（セットとして）記憶され、また物理量であれば図１（ｂ）に示すＲｍとＴｒｍが関連付けられて記憶され、そして移動速度であれば図１（ｃ）に示すＶｋとＴｖｋが関連付けられて記憶されるわけである。
【００４１】
移動計測工程で地面画像と物理量を取得できると、正射画像を作成（Ｓｔｅｐ２００）し、物理量を設定（Ｓｔｅｐ３００）する。正射画像作成工程（Ｓｔｅｐ２００）では、複数の地面画像間を合成して対象範囲の正射画像を作成する。具体的には、隣接する地面画像間に収められた特徴点を合わせて（マッチングして）合成していく、ＳｆＭ（Ｓｔｒｕｃｔｕｒｅ  ｆｒｏｍ  Ｍｏｔｉｏｎ）技術を用いて対象範囲の正射画像を作成する。そのため地面画像取得工程（Ｓｔｅｐ１１１）では、図４（ａ）に示すように隣接する２枚の画像（以下、「隣接画像」という。）が適度に重複（ラップ）するように地面画像を取得する。
【００４２】
物理量設定工程（Ｓｔｅｐ３００）では、取得した個々の地面画像に対して物理量を設定する。図５は、地面画像に物理量を設定する仕様を説明するモデル図である。この図に示すように、各地面画像には１つの物理量が設定される（対応付けられる）。このとき、地面画像Ｐｎに設定される物理量Ｒｍは、地面画像Ｐｎを取得した時間Ｔｐｎに最も近い時間で取得された物理量Ｒｍが選出される。例えば図５で説明すると、地面画像Ｐ２を取得した時間Ｔｐ２に最も近い物理量取得時間はＴｒ２であり、したがって地面画像Ｐ２に対して物理量Ｒ２が設定される。
【００４３】
物理量の取得に対して地面画像を取得する時間間隔が短いと、取得する物理量よりも地面画像の数のほうが多くなる。この場合、図５に示すように１の物理量（Ｒ３）を複数の地面画像（Ｐ３，Ｐ４，Ｐ５）に設定してもよいし、その物理量を取得した時間に最も近い地面画像にのみ設定（→）してもよい。１の物理量を１の地面画像に設定するケースでは、物理量が設定されない地面画像に関しては他の地面画像に設定された物理量で補完（内挿）することができる。例えば図５の場合、物理量Ｒ３は地面画像Ｐ４にのみ設定されて、地面画像Ｐ３に設定される物理量は物理量Ｒ２と物理量Ｒ３に基づいて補完され、地面画像Ｐ５に設定される物理量は物理量Ｒ３と物理量Ｒ４に基づいて補完されるわけである。
【００４４】
対象範囲の正射画像が作成され（Ｓｔｅｐ２００）、それぞれの地面画像に対して物理量が設定される（Ｓｔｅｐ３００）と、物理量分布図が作成される（Ｓｔｅｐ４００）。物理量分布図は、対象範囲の正射画像を基図とし、各地点における物理量の値を示した図である。対象範囲の正射画像を構成する各地面画像には物理量が設定されていることから、物理量分布図が作成できるわけである。なお物理量を示す平面位置は、対応する地面画像の画像中心点とするなど、あらかじめ定めた特定の点とすることができる。
【００４５】
ところで、対象範囲の正射画像は、重複する隣接画像の特徴点を利用して合成していくことで作成すると説明した。歩行（移動）しながら、しかも隣接画像を重複させて画像を取得するためには、高速（例えば、３０ｆｐｓ）で撮影できる画像取得手段（特にビデオカメラ）を使用することになる。つまり、歩行速度に対して高速（短時間間隔）で写真を取得することになり、その結果、大量の地面画像を取得し記憶することになるわけである。この場合、図４（ｂ）に示すように隣接画像の大部分が重複することになるが、合成画像を作成するにはこれほど重複する必要はない。
【００４６】
そこで、取得した全ての地面画像を使用するのではなく、適度に抽出（つまり、間引いた）画像のみを使用することが考えられる。例えば図６に示すように、定期的に抽出された地面画像のみを記憶し使用するとよい。この図では、使用する地面画像（以下、「使用地面画像」という。）を黒丸で表し、使用しない地面画像（以下、「不使用地面画像」という。）を白丸で表しており、６回取得するごとに使用地面画像を抽出して記憶する例を示している。使用地面画像を抽出（間引く）ことで、画像を記憶する領域を小さくすることができ、正射画像を作成する際の解析コストを削減できて好適となる。
【００４７】
定期的に地面画像を削減できたとしても、調査者の歩行速度が極端に低下したり、あるいは停止したりすると、図４（ｂ）に示すように過重複の隣接画像を取得することとなってしまう。そこで、移動計測工程として移動側を計測する（Ｓｔｅｐ１３１）ことによって余分な速度地面画像を排除することもできる。図７は、移動速度に基づいて地面画像を使用地面画像又は不使用地面画像のいずれかに選別する仕様を説明するモデル図であり、図８は、その仕様を説明するフロー図である。以下、図７と図８に基づいて詳しく説明する。
【００４８】
図７に示すように、使用地面画像の取得間隔（抽出された画像の取得間隔）よりも短い期間で平均速度算出期間ｔを設定し、その間の平均速度Ｖａを求める。そして図８に示すように、その平均速度があらかじめ設定した閾値よりも小さいときは、次に取得される使用地面画像を「不使用地面画像」と位置付けなおし、破棄して記憶しない。一方、平均速度があらかじめ設定した閾値よりも大きいときは、次に取得される使用地面画像はそのまま記憶して正射画像作成用として使用する。これによって、調査者が過度に遅く歩行している場合、あるいは停止している場合は、余分な画像を記憶することがなく、正射画像を作成する際の解析コストも削減できて好適となる。
【００４９】
また不使用地面画像の判定は、隣接する画像の重複の程度に基づいて行うこともできる。図９（ａ）はｎ番目に取得した地面画像の画像範囲ＰＡ（ｎ）と許容重複範囲ＬＡ（ｎ）を示すモデル図であり、図９（ｂ）は許容重複範囲ＬＡ（ｎ）と他の地面画像の画像範囲ＰＡ（ｎ＋１）、ＰＡ（ｎ＋２）を比較したモデル図である。なお、ｎ番目の地面画像における画像範囲や許容重複範囲（あるいは後述する中心点）を指す場合は、画像範囲ＰＡ（ｎ）、許容重複範囲ＬＡ（ｎ）などカッコ内にｎを示すこととし、共通する地面画像の画像範囲や許容重複範囲を指す場合は、単に画像範囲ＰＡ、許容重複範囲ＬＡで示すこととする。
【００５０】
画像範囲ＰＡは、画像取得手段１１１で取得される範囲であり、例えばビデオカメラを使用する場合は撮像素子の大きさと画角、焦点距離、ビデオカメラと地表までの距離から決定することができる。あるいは、あらかじめ実測することで画像取得手段１１１の画像範囲ＰＡを定めておくこともできる。また許容重複範囲ＬＡは、正射画像合成に必要な重複範囲となることを判断するための基準範囲であり、すなわち隣接画像の中心点がこの許容重複範囲ＬＡにある場合は正射画像合成を作成するために十分な重複程度であると判断できる。なお図９（ａ）では、画像範囲ＰＡの中心点ＰＯを基準とした円を許容重複範囲ＬＡとしているが、これに限らず画像範囲ＰＡの相似形（例えば長方形）とするなど、任意の形状で許容重複範囲ＬＡを設定することができる。
【００５１】
以下、隣接画像の重複程度によって使用地面画像又は不使用地面画像を判定する仕様について、図９（ｂ）を参照しながら説明する。まず、画像範囲ＰＡ（ｎ）を取得した位置から、画像範囲ＰＡ（ｎ＋１）を取得した位置までの距離（以下、「移動距離Ｌ」という。）を取得する。このとき、移動しながら距離を測定することができる手段（装置）を利用するとよい。例えば、加速度を測る加速度センサや、加速度センサに角度を測るジャイロを組み合わせて得られる自律航法システム、車輪（タイヤ）の回転から距離を計測するＤＭＩといったものを利用することで、移動距離Ｌを取得することができる。あるいは、ＧＮＳＳ測位によって２点間の距離を求め、これを移動距離として取得してもよい。なお、移動距離Ｌの測定は関連する画像範囲の重複の度合いを把握できる程度の時間または移動距離の範囲で相応の精度が得られるものであればよく、本願発明で達成しようとする測位の精度に比べ大きく下回るものであっても構わない。そして移動距離Ｌが得られると、画像範囲ＰＡ（ｎ）の中心点ＰＯ（ｎ）をから移動距離Ｌだけ動いた中心点ＰＯ（ｎ＋１）を算出し、この中心点ＰＯ（ｎ＋１）が許容重複範囲ＬＡ（ｎ）にある場合は、重複が充足していると判断し、そうでない場合は重複が不足していると判断する。
【００５２】
さら過重複した地面画像を間引くため、画像範囲ＰＡ（ｎ）の後の地面画像が連続して充足判断される場合は、重複不足とされた地面画像の１つ手前の地面画像のみを使用地面画像として選定し、他の充足判断された地面画像は不使用地面画像として破棄する。例えば図９（ｂ）に示すｎ＋ｋ番目の画像範囲ＰＡ（ｎ＋ｋ）の中心点ＰＯ（ｎ＋ｋ）は画像範囲ＰＡ（ｎ）内にあり、その次の画像範囲ＰＡ（ｎ＋ｋ＋１）の中心点ＰＯ（ｎ＋ｋ＋１）は画像範囲ＰＡ（ｎ）の外にあることから、この場合はｎ＋ｋ番目の地面画像が使用地面画像として選定される。なおこのケースで、ｎ番目〜ｎ＋ｋ番目の間にある地面画像が十分な重複を得ていたとしても、これらの地面画像は間引かれて不使用地面画像とされる。
【００５３】
３．物理量分布図作成装置
続いて、本願発明の物理量分布図作成装置について図１０を参照しながら説明する。なお、本願発明の物理量分布図作成装置は、本願発明の物理量分布図の作成方法を行う際に利用することができるものであり、したがって「２．物理量分布図の作成方法」で説明した内容と重複する説明はここでは避け、受信機の物理量分布図作成装置に特有の内容のみ説明することとする。すなわち、ここに記載されていない内容は、「２．物理量分布図の作成方法」で説明したものと同様である。もちろんあらかじめ定義した用語は、ここでの説明でも、「２．物理量分布図の作成方法」でも適用される。
【００５４】
図１０は、本願発明の物理量分布図作成装置１００の主な構成を示すブロック図である。この図に示すように物理量分布図作成装置１００は、画像取得手段１１１と計測測手段１２１、正射画像作成手段１５０、物理量設定手段１６０、分布図作成手段１７０を備えている。その他、画像抽出手段１１２や、物理量記憶手段１２２、速度計測手段１３１、移動速度記憶手段１３２、画像選別手段１１３、画像記憶手段１１４、測位手段１４０、出力手段１８０を備えたものとすることもできる。なお、この図に示す破線内で囲まれた手段をまとめて既述した携行用計測装置とすることができる。
【００５５】
計測手段１２１で取得された物理量は物理量記憶手段１２２に記憶され、速度計測手段１３１で取得された移動速度は移動速度記憶手段１３２に記憶される。また画像取得手段１１１で取得された地面画像は、図６に示すように画像抽出手段１１２で抽出された使用地面画像のみが画像記憶手段１１４に記憶される。あるいは、画像抽出手段１１２で抽出された使用地面画像のうち、画像選別手段１１３によって選別した使用地面画像のみを画像記憶手段１１４で記憶することもできる。この画像選別手段１１３は、図７や図８に示すように移動速度に基づいて（閾値と照らし合わせることで）、選別された使用地面画像をさらに使用地面画像あるいは不使用地面画像に選別する手段である。測位手段１４０は、ＧＮＳＳ測位や屋内測位など平面位置座標を測位することができる手段である。
【００５６】
正射画像作成手段１５０は、画像記憶手段１１４で記憶された使用地面画像を読みだして対象範囲の正射画像を作成手段であり、物理量設定手段１６０は、物理量記憶手段１２２から物理量を読み出すとともに使用地面画像を読みだして物理量の設定を行う（図５）手段である。そして分布図作成手段１７０が、対象範囲の正射画像と物理量が設定された各使用地面画像に基づいて物理量分布画像を作成し、ディスプレイやプリンタ等の出力手段１８０でこの物理量分布画像を出力する。
【産業上の利用可能性】
【００５７】
本願発明の物理量分布図の作成方法、及び物理量分布図作成装置は、住宅や学校のほか、農地や果樹園、森林といった屋外のほか、建物内や施設内など屋内における各種物理量の分布図作成に利用できる。高い放射線量を示す箇所を確実に抽出できることを考えれば、本願発明は、産業上利用できるばかりでなく社会的にも大きな貢献が期待できる発明である。
【符号の説明】
【００５８】
１００  本願発明の物理量分布図作成装置
１１１  画像取得手段
１１２  画像抽出手段
１１３  画像選別手段
１１４  画像記憶手段
１２１  計測手段
１２２  物理量記憶手段
１３１  速度計測手段
１３２  移動速度記憶手段
１４０  測位手段
１５０  正射画像作成手段
１６０  物理量設定手段
１７０  分布図作成手段
１８０  出力手段
【図１】
2018151775.tif 000003
【図２】
2018151775.tif 000004
【図３】
2018151775.tif 000005
【図４】
2018151775.tif 000006
【図５】
2018151775.tif 000007
【図６】
2018151775.tif 000008
【図７】
2018151775.tif 000009
【図８】
2018151775.tif 000010
【図９】
2018151775.tif 000011
【図１０】
2018151775.tif 000012